(57)【要約】【課題】飛行中の飛行姿勢だけでなく飛行軌跡にも変化をもたせて、娯楽性を向上させることができる飛行玩具を提供することである。【解決手段】浮揚機能を有するディスク１にその回転中心からはずれた位置にアンバランスおもり部４を設けることで、ディスク１の重心を回転中心から外し、飛行中でのディスク１の飛行姿勢が揺動し、また、飛行軌跡が蛇行し、さらに飛行速度が加速、減速を繰り返すため、変化に富んだものとした。【選択図】図１
0003105449.tif 000002
【実用新案登録請求の範囲】
【請求項１】
浮揚機能を付与したディスクからなるフライングディスクにおいて、前記ディスクの回転中心から外れた位置にアンバランスおもりを設けたことを特徴とするフライングディスク。
【請求項２】
前記アンバランスおもりを前記ディスクと一体成形したことを特徴とする請求項１に記載のフライングディスク。
【請求項３】
前記アンバランスおもりを前記ディスクに着脱自在に取り付けたことを特徴とする請求項１に記載のフライングディスク。
【考案の詳細な説明】
【技術分野】
【０００１】
この考案は円盤形の飛行玩具、いわゆるフライングディスクに関するものである。
【背景技術】
【０００２】
一般にフライングディスクは、それを交互に投げ合ったり、受け取り合ったりして少なくとも２人で遊ぶ玩具であり、また、投げるテクニックや飛距離を競う競技も行われており、フリスビー（登録商標）の名で知られている。
【０００３】
従来のフライングディスクは図６に示すようにディスク１１とその円周に沿って下向きに湾曲した周縁部１２が一体に形成されたものであり、周縁部１２はフライングディスクを投げる際の把持部となると共にディスク１１に浮揚機能を付与する部分となる。
【０００４】
すなわち、周縁部１２を把持し、手首のスナップを効かせて腕を振りながら空中に投げると、周縁部１２の存在により、ディスク１１の上面と下面とに空気の流れが生じ、上面に沿って流れる空気の速度の方が、下面に沿って流れる空気の速度よりも速くなる。そのため、ディスク１１の上面の気圧が下面の気圧より低くなり、フライングディスクに揚力が発生する。
【０００５】
前記の浮揚機能により、前方へ回転を与えて空中に投げ出されたフライングディスクは空中を飛行することができる。また、フライングディスクはその回転中心とその重心が一致しているため、飛行中はバランスのとれた回転運動をし、安定した飛行姿勢と直線的な飛行軌跡を保つことができる。
【考案の開示】
【考案が解決しようとする課題】
【０００６】
しかし、フライングディスクは、前述のように交互に投げ合ったり、受け取り合ったりして遊ぶ玩具であるので、フライングディスクの飛行姿勢が安定しているうえに、飛行軌跡も直線的であると、受け手が容易にこれを受け取ることができるので、遊戯の興味が半減する。その上、遊戯に参加していない者も含めて視覚的な刺激がなくなり、フライングディスクを用いての遊戯が単調なものとなる不具合があった。
【０００７】
そこで、この考案の課題は飛行姿勢だけでなく飛行軌跡にも変化をもたせて、娯楽性を向上させることができるフライングディスクを提供することである。
【課題を解決するための手段】
【０００８】
前記の課題を解決するため、この考案においては、浮揚機能を有するディスクにその回転中心からはずれた位置にアンバランスおもりを設けたのである。
【０００９】
ここで、アンバランスおもりとは、前記ディスクの回転中心から離れた位置に設けられ、ディスクの重心がその回転中心から外れることとなる少なくとも１個のおもりをいう。
【００１０】
また、前記アンバランスおもりを前記ディスクと一体成形した構成、または、前記アンバランスおもりを前記ディスクに着脱自在に取り付けた構成をとることができる。
【００１１】
前記構成によると、アンバランスおもりを設けたことで、ディスクの重心がその回転中心から外れる。このため、この考案のフライングディスクは、飛行姿勢が揺動し、また、飛行軌跡が蛇行し、さらに飛行速度が加速、減速を繰り返すため、変化に富んだものとなる。
【考案の効果】
【００１２】
以上のように、この考案のフライングディスクは、受け手がフライングディスクを受け取ることが難しくなり、そのため、遊戯の面白味が増す。また、遊戯に参加していない者も含めて視覚的に楽しむことができる。したがって、フライングディスクを用いる遊戯の興趣を一層向上させる。
【考案を実施するための最良の形態】
【００１３】
以下、この考案の実施形態を添付図面に基づいて説明する。
【００１４】
図１、図２に示したように、ディスク１は加工が容易で軽量な材料、例えばプラスチックで形成され、ディスク１の中心部に膨出部２が一体成形され、膨出部２の中心が上向きに突出している。このディスク１の周縁に沿って周縁部３がディスク１と一体成形される。周縁部３はディスク１の周縁を一定の幅で囲むように形成され、周縁部３の内周がディスク１より上方に膨出し、その外周がディスク１より下方に湾曲し、全体として下方に開放した溝形状になるように形成されている。
【００１５】
アンバランスおもり部４は、周縁部３の外周から内周近くまでの範囲に、円周方向に一定距離で、フライングディスクの底面まで周縁部３の一部分を埋めるように肉厚に形成され、周縁部３と一体成形される。
【００１６】
前記構造により、前記周縁部３はフライングディスクを投げる際の把持部となると同時にディスク１に浮揚機能を付与する部分となる。すなわち、周縁部３の存在により、ディスク１および前記膨出部２の上面と下面とに空気の流れを生じさせ、その上面に沿って流れる空気の速度の方が、下面に沿って流れる空気の速度よりも速くなる。そのため、ディスク１の上面の気圧がその下面の気圧より低くなり、フライングディスクに揚力が発生する。
【００１７】
次に、前記アンバランスおもり部４を設けることによるフライングディスクの飛行姿勢、飛行軌跡および飛行速度の変化を添付図面に基づいて説明する。
【００１８】
図２に示すように、アンバランスおもり部４には重力Ｆ１が働き、この重力Ｆ１はアンバランスおもり部４側にフライングディスクを傾けるように働くため、その飛行姿勢は、アンバランスおもり部４側に傾き、ゆらゆらと揺動する。
【００１９】
図３は前記フライングディスクの静止状態での回転運動を示したものであり、互いに直交する直線Ｉ−Ｉと直線II−IIの交点を点Ｏとし、フライングディスクの回転中心に点Ｏを一致させる。フライングディスクの周縁部分と直線Ｉ−Ｉとが交差する点を点Ｐ、点Ｑ、直線II−IIとフライングディスクの周縁部分とが交差する点を点Ｒ、点Ｓとする。矢印ａは線Ｉ−Ｉと平行でフライングディスクの飛行方向を示す。
【００２０】
前記アンバランスおもり部４が点Ｒから点Ｐを経て、点Ｓへと回転移動する場合は、アンバランスおもり部４には、遠心力Ｆ２が働き、その遠心力Ｆ２は直線Ｉ−Ｉ方向の分力Ｆ３と直線II−II方向の分力Ｆ４とに分解することができる。
【００２１】
同様にして、アンバランスおもり部４が点Ｓから点Ｑを経て、点Ｒへと回転移動する場合、アンバランスおもり部４には、遠心力Ｆ５が働き、遠心力Ｆ５は直線Ｉ−Ｉ方向の分力Ｆ６と直線II−II方向の分力Ｆ７とに分解することができる。
【００２２】
つまり、アンバランスおもり部４が点Ｒから点Ｐを経て、点Ｓへと回転移動するときフライングディスクには分力Ｆ３により、矢印ａの方向に力が働く。点Ｓから点Ｑを経て、点Ｒへと回転移動するときは分力Ｆ６により、矢印ａの方向と逆方向に力が働く。
【００２３】
また、アンバランスおもり部４が点Ｐから点Ｓを経て、点Ｑへと回転移動するときは前記フライングディスクが分力Ｆ７により直線II−IIの右方向に力に働く。点Ｑから点Ｒを経て、点Ｐへと回転移動するときは分力Ｆ４により直線II−IIの左方向に力に働く。
【００２４】
図４はフライングディスクの飛行軌跡を示している。フライングディスクが矢印ａの方向に飛行する場合において、範囲Ｉは矢印ａの方向に対して左向きの分力Ｆ４がゼロから大きくなり再びゼロになるまでのフライングディスクの回転中心の移動範囲である。また、範囲IIは矢印ａの方向に対して右向きの分力Ｆ７がゼロから大きくなり再びゼロになるまでのフライングディスクの回転中心の移動範囲である。
【００２５】
さらに、範囲Ａは矢印ａの方向の分力Ｆ３がゼロから大きくなり再びゼロになるまでのフライングディスクの回転中心の移動範囲である。範囲Ｂは矢印ａと逆の方向の分力Ｆ６がゼロから大きくなり再びゼロになるまでのフライングディスクの回転中心の移動範囲である。
【００２６】
フライングディスクの飛行軌跡は、フライングディスクの回転中心が範囲Ｉにあるとき分力Ｆ４の働きによって左に移動し、範囲IIにあるとき分力Ｆ７の働きによって右に移動する。
【００２７】
一方、フライングディスクの飛行速度は、フライングディスクの回転中心が範囲Ａの位置にあるとき、分力Ｆ３の働きによって加速し、範囲Ｂの位置にあるとき分力Ｆ６の働きによって減速する。
【００２８】
以上より、フライングディスクは重力Ｆ１と遠心力Ｆ２、Ｆ５の働きによって飛行姿勢はゆらゆらと揺動し、また、飛行軌跡は蛇行し、さらに飛行速度は加速、減速を繰り返す。
【００２９】
実際には、前記フライングディスクの飛行姿勢等の変化は上述の理論のみで起こるものではなく、フライングディスクの形状、フライングディスクに対する空気抵抗、フライングディスクの前方への速度、もしくはその回転速度、または気流の速度等の影響を受けることでもフライングディスクの飛行姿勢等は変化することになる。
【００３０】
他の実施形態として、前記アンバランスおもりを着脱自在に取り付けることができる。図５（ａ）から（ｃ）に示すように、前記把持部３の内側には弾性を有するおもり支持部５を一体に形成する。おもり支持部５の先端に金属製の球体のアンバランスおもり６を支持するツメを設け、おもり支持部５は４箇所でアンバランスおもり６を支持する。
【００３１】
アンバランスおもり６をおもり支持部５に押し付けると、支持部５が互いに外側に広がり、アンバランスおもり６をはさみこむと、おもり支持部５の弾性により元の位置に戻るため、アンバランスおもり６が固定される。
【００３２】
アンバランスおもり６が不要の場合には、おもり支持部５を互いに外側に広げ、アンバランスおもり６を引き抜いて、通常のフライングディスクとして利用できる。
【００３３】
なお、フライングディスクの傾きの大きさは前記アンバランスおもり部４の重量によって変化し、その重量が重いと、フライングディスクの傾きが大きくなり、飛行中に空気抵抗をより大きく受けるため、失速し、飛行距離が短くなる。
【００３４】
逆にアンバランスおもり部４の重量が軽いと、飛行姿勢および飛行軌跡の変化が小さくなり、本来の目的を果たさない。
【００３５】
そこで、この考案の目的を果たすためには、アンバランスおもり部４の重量はフライングディスクの重量の２０〜２５％が望ましい。
【００３６】
また、アンバランスおもりの形状は、アンバランスおもりがフライングディスクと一体成形の場合、前記周縁部３の下方に湾曲した外周と同じ厚みと幅でその外周の内側に沿って一定距離の長さとする薄板形状が望ましい。
【００３７】
または、前記周縁部３の周縁上の２点を結んだ直線と周縁部３の周縁が作る円弧と、前記直線をフライングディスクの底面に対して垂直に延ばした平面、および、周縁部３の内側で囲まれた空間を埋めるような円弧形状が望ましい。
【００３８】
アンバランスおもりの材質はフライングディスクと同じ材質つまり、加工が容易で軽量な材料、例えばプラスチックが望ましい。
【００３９】
フライングディスクと着脱自在の場合は、その形状は球体が望ましく、材質は金属、またはフライングディスクと同じ材質、つまり加工が容易で軽量な材料、例えばプラスチックが望ましい。
【図面の簡単な説明】
【００４０】
【図１】実施形態のフライングディスクを示す底面図
【図２】同上の縦断正面図
【図３】同上の模式図
【図４】同上の飛行軌跡の模式図
【図５】（ａ）他の実施形態のフライングディスクを示す断面図、（ｂ）同上の一部拡大断面図、（ｃ）同上の一部拡大底面図
【図６】従来のフライングディスクを示す縦断面図
【符号の説明】
【００４１】
１  ディスク
２  膨出部
３  周縁部
４  アンバランスおもり部
５  おもり支持部
６  アンバランスおもり
１１  ディスク
１２  周縁部
【図１】
0003105449.tif 000003
【図２】
0003105449.tif 000004
【図３】
0003105449.tif 000005
【図４】
0003105449.tif 000006
【図５】
0003105449.tif 000007
【図６】
0003105449.tif 000008